(57)【要約】      （修正有）【課題】高圧受電設備内に設置され、地震などの外部からの振動に対して効果的な変圧器耐震構造を提供する。【解決手段】変圧器の上部両端にネジ部材によって取付けられる保持部材１と、該保持部材と直交し前記高圧受電設備内の柱部材に固定される固定部材２とからなり、前記固定部材の係合孔部と前記保持部材の一端とが係合し、前記変圧器の前後、左右方向への振動を夫々規制する。この固定部材は、高圧受電設備内の柱部材に固定される固定面２ａと、前記保持部材の係合用片４と係合する係合穴部を穿設した支持面２ｂとを有する金属板からなり、前記ネジ部材によって前記変圧器に取り付けられた保持部材と係合する【選択図】図１
0003171679.tif 000002
【実用新案登録請求の範囲】
【請求項１】
高圧受電設備内に防振ゴム等の防振装置上に設置された変圧器において、該変圧器の上部両端にネジ部材によって取付けられる保持部材と、該保持部材と直交し前記高圧受電設備内の柱部材に固定される固定部材とからなり、前記固定部材の係合孔部と前記保持部材の一端とが係合し、前記変圧器の前後、左右方向への振動を夫々規制することを特徴とする変圧器耐震構造。
【請求項２】
前記保持部材は、係合用片を有する金属板からなり、前記ネジ部材によって前記変圧器に取り付けられることを特徴とする請求項１に記載の変圧器耐震構造。
【請求項３】
前記固定部材は、高圧受電設備内の柱部材に固定される固定面と、前記保持部材の係合用片と係合する係合穴部を穿設した支持面とを有する金属板からなり、前記ネジ部材によって前記変圧器に取り付けられた保持部材と係合することを特徴とする請求項１に記載の変圧器耐震構造。
【考案の詳細な説明】
【技術分野】
【０００１】
本考案は、耐震構造であって、とくに地震などの外部からの振動に対して効果的に変圧器の耐震ができる変圧器耐震構造に関するものである。
【背景技術】
【０００２】
近年、高圧受電設備であるキュービクル内に変圧器を設置する場合には、変圧器本体からの電磁振動がキュービクル本体へ伝わるのを防止するため、変圧器本体の下部とキュービクル本体内の取付け部の間に防振ゴムを取付けている。また、地震による変圧器本体の揺れで配線バーが接続される２次ブッシングが破損しないように、配線バーの途中に可撓性導体を使用する場合もある。
【０００３】
しかしながら、上記の変圧器では変圧器本体の下部とキュービクル本体内の取付け部の間に防振ゴムが取り付けられているため、地震などの外部からの振動によって変圧器本体の上部が大きく振動し、この変圧器本体と接続する配線バーも可撓性導体部分が大きく振動することで短絡事故が起きる危険があった。
【０００４】
さらに、変圧器本体が大きく振動することで、変圧器本体がキュービクル本体内の取付け部との接続箇所から離脱しないように強固に固定しておく必要があった。
【０００５】
そこで、配電用トランスに、支持部材を用いて、配線用遮断器群を収納した分岐箱を固定し、配電用トランスの二次端子と配線用遮断器群の入力端子を銅帯又は電線で接続するトランスと分岐箱のユニットが提案されている（特許文献１参照。）。
【０００６】
また、変圧器器体を外箱に収納し、変圧器器体と外箱の底板との間に緩衝材を介在し、変圧器器体を外箱に固定する器体取付金具を設け、この器体取付金具と外箱間にも緩衝材を介在した耐震変圧器もある（特許文献２参照。）。
【先行技術文献】
【特許文献】
【０００７】
【特許文献１】実開平５−２９２０８号公報
【特許文献２】特開平１１−２１９８２８号公報
【考案の概要】
【考案が解決しようとする課題】
【０００８】
上記特許文献１に記載のトランスと分岐箱のユニットは、支持部材によって配電用トランスに分岐箱が固定され、その中に収納された配線用遮断器群も、配線用トランス固定され、地震などの振動時に配線用トランスと配線遮断器群との相対位置が変化することがなく、接続銅帯や電線の折損などの事故を防ぐものであるが、配電用トランスと設置面との間では防振用に何らの設備もないため、配線用トランス自体が倒壊する虞があるものであった。
【０００９】
また、上記特許文献２に記載の耐震変圧器は、変圧器器体を外箱に収納し、変圧器器体と外箱の底板との間に緩衝材を介在し、変圧器器体を外箱に固定する器体取付金具を設け、この器体取付金具と外箱間にも緩衝材を介在させるものであり、地震などの大きな振動が加わっても、器体と外箱との離間距離が一定に保たれるため、変圧器と外箱との絶縁が損なわれないものであるが、多くの緩衝材を介して取り付ける必要があり、作業工数が増えると共に、コストアップになるという問題があった。
【００１０】
上記の問題点に鑑み本考案者らは、高圧受電設備内に防振ゴム等の防振装置上に設置された変圧器において、簡単な構造の取付け金具によって取付けを容易とし、地震などの振動に対して効果的な耐震構造を提供することができる変圧器耐震構造を提供するに至った。
【課題を解決するための手段】
【００１１】
本考案の変圧器耐震構造は、変圧器の上部両端にネジ部材によって取付けられる保持部材と、該保持部材と直交し前記高圧受電設備内の柱部材に固定される固定部材とからなり、前記固定部材の係合孔部と前記保持部材の一端とが係合し、前記変圧器の前後、左右方向への振動を夫々規制することを第一の特徴とする。
【００１２】
また、前記保持部材は、係合用片を有する金属板からなり、前記ネジ部材によって前記変圧器に取り付けられることを第二の特徴とする。
【００１３】
そして、前記固定部材は、高圧受電設備内の柱部材に固定される固定面と、前記保持部材の係合用片と係合する係合穴部を穿設した支持面とを有する金属板からなり、前記ネジ部材によって前記変圧器に取り付けられた保持部材と係合することを第三の特徴とする。
【考案の効果】
【００１４】
本考案に係る変圧器耐震構造によれば、変圧器の上部両端にネジ部材によって取付けられる保持部材と、保持部材と直交し前記高圧受電設備内の柱部材に固定される固定部材とから構成され、固定部材の係合孔部と前記保持部材の一端とが係合し、前記変圧器の前後、左右方向への振動を夫々規制するという効果を有する。
【００１５】
また、前記保持部材及び前記固定部材は何れも金属板から形成されており、安価に製造できると共に、高圧受電設備内の柱部材と変圧器への取付けが容易であるという効果を有する。
【図面の簡単な説明】
【００１６】
【図１】本考案に係る変圧器耐震構造の一実施例を示す斜視図である。
【図２】図１の分解説明図である。
【図３】本考案に係る変圧器耐震構造を使用した高圧受電設備の説明図である。
【考案を実施するための形態】
【００１７】
以下、本考案を実施例を示す図面を参照しながら説明するが、本考案が本実施例に限定されないことは言うまでもない。図１は、本考案の変圧器耐震構造の一実施例を示す斜視図であり、図２は図１の分解説明図、図３は本考案の変圧器耐震構造を使用した高圧受電設備の説明図である。
【実施例】
【００１８】
図１は、本考案の変圧器耐震構造の斜視図であり、保持部材１と固定部材２がそれぞれ係合した状態を示しており、後述する高圧受電設備内においては夫々一対ずつ使用されている。
【００１９】
図２は図１の分解説明図であり、図２（ａ）は固定部材２の正面図、図２（ｂ）は固定部材２の側面図、図２（ｃ）は保持部材１の平面図、図２（ｄ）は保持部材１の側面図である。
【００２０】
保持部材１は、長方形状の金属板からなり、一端側に３ヶの孔部３が離間して穿設されており、後述するネジ部材によって変圧器の上部に取り付けられる。また他端側には固定部材２と係合する係合用片４が屈曲して形成されている。
【００２１】
固定部材２は、後述する柱部材に取り付ける一対の長孔部５を形成した固定面２ａと、上記係合用片４と係合する係合長孔部６を穿設した支持面２ｂと、この支持面２ｂ側端部に形成された補強用片２ｃとからなり、長方形状の金属板を溶接若しくは屈曲して形成されている。尚、保持部材１及び固定部材２は何れもステンレス材が使用される。
【００２２】
上記の構成からなる本考案の変圧器耐震構造は、保持部材１と固定部材２とが直交した状態で係合し、変圧器本体の上部を保持するため、高圧受電設備内に取り付けられた変圧器本体の外部からの振動を前後、左右方向で規制することができる。
【００２３】
図３は、本考案に係る変圧器耐震構造を使用した高圧受電設備７の説明図を示しており、図３（ａ）は平面説明、図３（ｂ）は側面説明図である。図に示すように、上述した保持部材１と固定部材２を使用した変圧器本体８の防振構造を説明するものである。
【００２４】
図に示すように、変圧器本体８は高圧受電設備７内の基部に防振用ゴムなどからなる防振部材９上に取り付けられている。そして、変圧器本体８の上部には高圧受電設備７の柱部材１０に取り付けられた一対の固定部材２と、この固定部材２に直交して係合する一対の保持部材１が配置されており、変圧器本体８の上部は保持部材１の穴部３に嵌入するボルト（図示せず）によって固定されている。
【００２５】
上記の構成で変圧器本体が高圧受電設備内に備え付けられているため、変圧器本体の上部が大きく振動するような地震などの外部から振動があっても、変圧器本体の上部を保持する保持部材と固定部材によって、確実に振動を規制することができる。尚、本実施例においては、保持部材と固定部材をそれぞれ２個使用して変圧器の上部を保持する構成とするが、例えば容量の小さい変圧器を使用する場合には片側のみ保持する構成であっても構わない。
【００２６】
以上、本考案の変圧器耐震構造によれば、変圧器の上部両端にネジ部材によって取付けられる保持部材と、この保持部材と直交し前記高圧受電設備内の柱部材に固定される固定部材とから構成されており、固定部材の係合孔部と前記保持部材の一端とが係合し、前記変圧器の前後、左右方向への振動を夫々規制ができる。
【符号の説明】
【００２７】
１          保持部材
２          固定部材
２ａ        固定面
２ｂ        支持面
２ｃ        補強用片
３          孔部
４          係合用片
５          長孔部
６          係合長孔部
７          高圧受電設備
８          変圧器本体
９          防振部材
１０          柱部材
【図１】
0003171679.tif 000003
【図２】
0003171679.tif 000004
【図３】
0003171679.tif 000005